(57)【要約】【課題】湯飲みやカップ等の被給湯容器を給湯ボタン等に接触させることなく給湯ができ、少なくとも二人以上の飲食客が椅子等に座ったままの状態でも給湯ができる飲食用給湯装置を提供すること。【解決手段】飲食客が飲食を行う飲食台３又は飲食台３に臨むように配置される給湯装置１であって、給湯口１８に至るお湯の流通経路中にお湯の供給及び停止を行う把手５が左右に張出すように取付けられている。【選択図】    図１
2004270342.tif 000002
【特許請求の範囲】
【請求項１】
飲食客が飲食を行う飲食台又は飲食台に臨むように配置される給湯装置であって、給湯口に至るお湯の流通経路中にお湯の供給及び停止を行う把手が左右に張出すように取付けられていることを特徴とする飲食台用給湯装置。
【請求項２】
前記左右の把手には、回動により直進運動するリフト弁が各々内蔵されており、該リフト弁の弁頭が互いに対称に配設され、互いの弁頭の干渉により、前記給湯口から出る湯量が所定量以上流出しないようになっている請求項１に記載の飲食台用給湯装置。
【請求項３】
前記リフト弁は、該リフト弁の進退方向が、所定角度で傾斜し、且つ互いに対称に配設されている請求項１または２に記載の飲食台用給湯装置。
【請求項４】
前記お湯の流通経路中に被給湯容器が所定位置まで接近したことを非接触にて検出する検出センサーと、この検出センサーにより検出された際に、お湯が供給されるように制御する制御手段と、を具備する請求項１ないし３のいずれかに記載の飲食台用給湯装置。
【請求項５】
前記給湯装置の蛇口管が逆Ｕ字状に形成されており、ケーシング体に対して所定角度左右に回動できるように構成されている請求項１ないし４のいずれかに記載の飲食台用給湯装置。
【請求項６】
前記蛇口管の外周が断熱材で被覆されている請求項５に記載の飲食台用給湯装置。
【請求項７】
前記給湯口から落下する余剰な滴を受けるための滴受け部材及びその下部にはドレンパイプが前記蛇口管の回動範囲に対応するように配設されている請求項１ないし６のいずれかに記載の飲食台用給湯装置。
【発明の詳細な説明】
【０００１】
【発明の属する技術分野】
本発明は、飲食台、特には回転寿司等の循環型の搬送路等を備える飲食カウンタ等において使用される給湯装置に関する。
【０００２】
【従来の技術】
従来、飲食台、特に回転寿司等の循環型の搬送路等を備える飲食カウンタ等においては、図８に示されるように、給湯管０４の端部を飲食台０１上に突出させ、その先端に給湯口０６を設け、この給湯口０６に至るお湯の流通経路中に、お湯の供給および停止を行う弁機構０５を備えて、この弁機構０５を開閉させるための作動ボタン０３を湯飲みやカップ等の被給湯容器０２によって押すことにより、給湯がなされる給湯装置（グラスフィラー）が使用されている。
【０００３】
【発明が解決しようとする課題】
しかしながら、これら従来の給湯装置（グラスフィラー）においては、湯飲みやカップ等の被給湯容器を給湯ボタンに当接させることにより、自動的に給湯されることから、飲食客は片手で給湯を実施でき、非常に便利ではあるが、各飲食客が口をつけた湯飲みやカップ等を、お湯を補給するための給湯ボタンに当接させる必要があり、不衛生であることから、これら湯飲みやカップ等を当接せずにお湯を供給できる給湯設備が切望されていた。
【０００４】
また、これら従来の給湯装置（グラスフィラー）では、飲食客が前記給湯ボタンの押圧を微調整することができず、飲食客の所望する湯出量を供給できなかった。また、前記給湯ボタンは、正面からの押圧でしか給湯できず、飲食カウンタ前の飲食客一人に一箇所の給湯装置が必要であった。
【０００５】
よって、本発明は上記した問題点に着目してなされたもので、湯飲みやカップ等の被給湯容器を給湯ボタン等に接触させることなく給湯ができ、少なくとも二人以上の飲食客が椅子等に座ったままの状態でも給湯ができる飲食用給湯装置を提供することを目的とする。
【０００６】
【課題を解決するための手段】
上記課題を解決するために、本発明の飲食用給湯装置は、飲食客が飲食を行う飲食台に臨むように配置される給湯装置であって、給湯口に至るお湯の流通経路中にお湯の供給及び停止を行う把手が左右に張出すように取付けられていること特徴としている。
この特徴によれば、一つの飲食台用給湯装置で、ほぼ正面からの給湯操作はもちろんのこと、左右に握り手がそれぞれ張出しているため、隣接する左右の飲食客からも給湯操作が可能となり、２人以上の飲食客が座ったままで給湯できるので給湯装置の数を大幅に削減でき、コストダウンが期待できる。
【０００７】
本発明の飲食用給湯装置は、前記左右の把手には、回動により直進運動するリフト弁が各々内蔵されており、該リフト弁の弁頭が互いに対称に配設され、互いの弁頭の干渉により、前記給湯口から出る湯量が所定量以上流出しないようになっていることが好ましい。
このようにすれば、たとえ、左右の把手を同時に作動しても所定以上のお湯が同時に給湯口から被給湯容器に注がれる恐れはない。
【０００８】
本発明の飲食用給湯装置は、前記リフト弁は、該リフト弁の進退方向が、所定角度で傾斜し、且つ互いに対称に配設されていることが好ましい。
このようにすれば、リフト弁の最小限の進退ストロークで両弁頭の最先端部同士が当接するので、小さな把手の操作でストロークを規制できる。
【０００９】
本発明の飲食用給湯装置は、前記お湯の流通経路中に被給湯容器が所定位置まで接近したことを非接触にて検出する検出センサーと、この検出センサーにより検出された際に、お湯が供給されるように制御する制御手段と、を具備することが好ましい。
このようにすれば、把手の操作のみではお湯の供給がされず、誤ってお湯が供給されて火傷等をすることを防止できる。
【００１０】
本発明の飲食用給湯装置は、前記給湯装置の蛇口管が逆Ｕ字状に形成されており、ケーシング体に対して所定角度左右に回動できるように構成されていることが好ましい。
このようにすれば、給湯したい飲食客の方向に蛇口管を近づけることができるため、他の客に邪魔にならずに給湯が可能になる。
【００１１】
本発明の飲食用給湯装置は、前記蛇口管の外周が断熱材で被覆されていることが好ましい。
このようにすれば、飲食客が火傷することなく蛇口管の方向を変更できる。
【００１２】
本発明の飲食用給湯装置は、前記給湯口から落下する余剰な滴を受けるための滴受け部材及びその下部にはドレンパイプが前記蛇口管の回動範囲に対応するように配設されていることが好ましい。
このようにすれば、蛇口管を回動しても給湯口から落下する余剰な滴が飲食台に落下する恐れがない。
【００１３】
【発明の実施の形態】
以下、本発明の実施例を図面に基づいて説明する。
【００１４】
図１は本実施例１の飲食台用給湯装置を示す外観斜視図、図２は図１のＡ−Ａ線の断面模式図、図３は図１のＢ−Ｂ線の断面模式図、図４は図２の一部を拡大した弁頭の作動状態を示す断面図、図５は本実施例２の飲食台用給湯装置を示す外観斜視図、図６は図５のＣ−Ｃ線の断面模式図、図７は本実施例２の飲食台用給湯装置の機器構成を示すブロック図、図８は従来の飲食用給湯装置を示す断面図である。
【００１５】
本発明の実施例１の飲食台用給湯装置（以下グラスフィラーと称す）１は、図１に示すように、回転寿司の循環搬送路２を備える飲食カウンタ３上に、例えば、３脚の椅子に対して１個設置されている。
【００１６】
このグラスフィラー１は、図２に示すように、水栓用支柱４、把手５、ケーシング体６、リフト弁７、リフト弁カバー体８、弁頭９、パッキン１０、保護カバー１１、及び蛇口管１２とから構成されている。
【００１７】
給湯口１８（図３参照）に至るお湯の流通経路中にお湯の供給及び停止を行う把手５、５は、ケーシング体６、６の先端に回動自在に設けられており、このケーシング体６、６には、リフト弁７、７が内蔵され、水栓用支柱４の上部より左右に張出すように取付けられている。
【００１８】
前記把手５、５を回動すると、ボールカム１３、１３の働きによってリフト弁７、７が直進運動に変換され、リフト弁７、７の先端にパッキン１０、１０を介して設けられた弁頭９、９が進退方向に移動するように構成されている。
【００１９】
又、前記左右のリフト弁７、７と弁頭９、９とは互いに対称に配設され、互いの弁頭９、９の干渉により、給湯口１８から出る湯量が所定量以上流出しないように構成されており、該リフト弁７、７の進退方向が、所定角度に傾斜するように配設されている。なお、本実施例では、左右の弁頭９、９の上部が当接し、互いがＶ字をなす傾斜に配設されているが、下部が当接する逆Ｖ字をなす傾斜に配設することも可能である。
【００２０】
前記蛇口管１２は、図３に示されているように、外周を断熱材１４で被覆され、先端部に給湯口１８有し、逆Ｕ字状に形成されており、ケーシング体６（図２参照）に対して所定角度（例えば９０℃）左右に回動できるように構成されている。又、前記蛇口管１２の回動部は保護カバー１１によって被覆されている。
【００２１】
前記給湯口１８から落下する余剰な滴を受けるための合成樹脂製滴受け部材１６及びその下部には合成樹脂製ドレンパイプ２１が前記蛇口管１２の回動範囲に対応するように配設され、備付の被給湯容器（以下と湯飲み称す）１５を載置するようになっている。
【００２２】
図４には、把手５の回動により直進運動するリフト弁７の構造とお湯の流れ（矢印３２）が示されており、把手５の回動により把手軸３０の先端部に設けられたボールカム１３内に埋設されているボール体２０が、リフト弁７を前方へ押し出し、リフト弁７の先端近傍に設けられたパッキン１０とリフト弁カバー体８の先端との間に隙間３３が形成され、この隙間３３からお湯が流入し、矢印３２の方向へと誘導され、蛇口管１２を介して給湯口１８から湯飲み１５に供給される。
【００２３】
一方、弁頭９はＨの位置（破線）より、前方のＩの位置（実線）まで移動し、左側の弁頭９の上端が右側の弁頭９の上端に当接するので、右側のリフト弁７動きを規制し、右側の把手５の回動を規制することになる。
【００２４】
図５は、本発明の実施例２が示されており、グラスフィラー４０給湯側の面に、お湯の流通経路中に湯飲み１５（図７参照）が所定位置まで接近したことを非接触にて検出する検出センサーとしての赤外線センサー２２が設けられている。
【００２５】
グラスフィラー４０は、図６に示されているように、赤外線センサー２２、前記蛇口管１２内に供給弁２３、スプリング２４、電磁ソレノイド２５、及び制御基板２６から構成されている。
【００２６】
供給弁２３は、その一端にスプリング２４が設けられ、このスプリング２４により、通常時は蛇口管１２が閉じられた状態になっている。又、供給弁２３の他方側には、電磁ソレノイド２５が設けられており、この電磁ソレノイド２５が作動することにより、前記供給弁２３を前記スプリング２４に抗して押し、供給弁２３を開いてお湯が矢印２７方向へ流入し給湯口１８より湯飲み１５に供給される。
【００２７】
グラスフィラー４０の制御機器について説明すると、図７に示されているように、制御基板２６には、前記赤外線センサー２２からの信号により、後述するＦＥＴトランジスタ２８を介して電磁ソレノイド２５の動作を制御する論理ゲートから成る制御回路２９と、この制御回路２９と接続され、所定の時間の経過を出力するタイマ回路３１と、電磁ソレノイド２５への給電のスイッチングを実施するＦＥＴトランジスタ２８とが設けられ、図７のように接続されている。
【００２８】
その他の構成及び機能の説明（例えば、把手５、ケーシング体６、リフト弁７及び蛇口管１２）については、実施例１と同じ構成及び機能を有しているので、ここでは省略する。
【００２９】
以下、本発明の実施例１のグラスフィラー１の動作について説明すると、まず飲食客は給湯のために、湯飲み１５を所定位置である合成樹脂製の滴受け部材１６上に配置し、蛇口管１２の給湯口１８を湯飲み１５の上方まで誘導し、次に、把手５を回動し、回動する力加減で好みの量のお湯を給湯口１８から湯飲み１５に供給することができる。
【００３０】
一方、グラスフィラー１内の動作は、飲食客が把手５を回動すると、前述したケーシング体６に内蔵されているリフト弁７が、ボールカム１３内に埋設されているボール体２０の動きに影響されて前方へ押し出される。
【００３１】
このリフト弁７の動きで、前記パッキン１０と、リフト弁カバー体８の先端とに形成される隙間３３から、リフト弁カバー体８内に水栓用支柱４内に供給されているお湯が流入し、矢印３２の方向へと誘導され、蛇口管１２を介して給湯口１８から湯飲み１５に供給される。
【００３２】
給湯のためにグラスフィラー１を利用する飲食客の座る位置は、ほぼ正面はもちろんのこと、左右に把手５、５がケーシング体６、６の先端にそれぞれ張出し、さらに、蛇口管１２がケーシング体６，６に対して所定角度左右に回動できるように構成されているため、隣接して座る左右の飲食客も給湯操作が可能となった。
【００３３】
さらに、従来の飲食物搬送装置（回転すし搬送装置）の最小の１ユニットには３座席分について３個のグラスフィラーが設けられているが、２人以上の飲食客が座ったままで給湯できるので、１ユニットに対し少なくとも１個のグラスフィラーを設置すれば良く、通常、数十ものユニットを設置する飲食物搬送装置ではグラスフィラーの数を大幅に削減でき、コストダウンが期待できる。
【００３４】
リフト弁７、７が互いに対称に配設され、互いの弁頭９、９の干渉により所定量以上流出しないようになっているため、例えば、飲食客が、左右の把手５を同時に作動した場合であっても、大量のお湯が一度に供給されることはなく、湯飲み１５内のお湯が飛散し、飲食客にお湯がかかり、火傷することはない。
【００３５】
又、図４で示されているように、例えば、飲食客が左の把手５を回動し、湯飲み１５に供給すると、所定角度で傾斜しているリフト弁７の進退方向に影響される弁頭９はＨの位置（破線）より、前方のＩの位置（実線）まで移動し、左側の弁頭９の上端が右側の弁頭９の上端に当接するため、右側のリフト弁７動きを最小限の進退ストロークで確実に規制し、右側の把手５の回動を規制する。
【００３６】
これによって、先に把手５を回動した飲食客がいた場合、他の飲食客が誤って、他方の把手５を回動しようとしても、回動できず、先に使用している飲食客の所望する量のお湯が給湯口１８から湯飲み１５に注がれることになる。
【００３７】
次に本発明の実施例２のグラスフィラー４０の動作について説明すると、
【００３８】
まず、実施例１と同じように、飲食客は給湯のために、湯飲み１５を所定の位置である滴受け部材１６上に配置する。
【００３９】
一方、グラスフィラー４０給湯側の面に、お湯の流通経路中に湯飲み１５（図７参照）が所定位置まで接近したことを非接触にて検出する検出センサーとしての赤外線センサー２２が、感知すると、その信号は制御基板２６の制御回路２９と、ＦＥＴトランジスタ２８と、タイマ回路３１を介して電磁ソレノイド２５に接続され、電磁ソレノイド２５が作動することにより、前記供給弁２３を前記スプリング２４に抗して押し、供給弁２３を開いてお湯が矢印２７方向へ流入するようになっている。
【００４０】
しかしながら、湯飲み１５を所定の位置に配置しただけでは、給湯口１８から湯飲み１５に注がれることにはならず、飲食客が把手５を回動することによって、はじめて、お湯が給湯口１８から湯飲み１５に注がれることになる。
【００４１】
つまり、赤外線センサー２２が、湯飲み１５を感知することによって、蛇口管１２に設けられている供給弁２３が開くため、飲食客に把手５の操作のみではお湯の供給がなされず、誤ってお湯が供給されて火傷等をすることを防止できる。
【００４２】
実施例１及び実施例２の蛇口管１２が逆Ｕ字状に形成され、ケーシング体に対して所定角度左右に回動できるように構成されているため、給湯したい飲食客の方向に蛇口管１２を近づけることができる。
【００４３】
このことによって、正面の飲食客はもちろんのこと、左右に隣接する飲食客も給湯口１８を自分の方に蛇口管１２を向け、他の客に邪魔にならずに給湯が可能になる。
【００４４】
さらに、飲食客は、実施例１及び実施例２の蛇口管１２が外周には断熱材で被覆されているため、素手で蛇口管１２をつかみ方向を変更しても、火傷することなく蛇口管１２の方向を変更でき、お湯を湯飲み１５に注ぐことができる。
【００４５】
給湯口１８から落下する余剰な滴を受けるための合成樹脂製の滴受け部材１６及びその下部には合成樹脂製ドレンパイプ２１が前記蛇口管１２の回動範囲に対応するように配設されているため、蛇口管１２を回動しても給湯口１８から落下する余剰な滴は滴受け部材１６に落下し、飲食台３に落下する恐れがなく、滴受け部材１６に余剰な滴が溜まり、飲食台３上に溢れでることはなく、常に飲食客に快適な飲食環境を提供できる。
【００４６】
以上、本発明の実施例を図面により説明してきたが、具体的な構成はこれら実施例に限られるものではなく、本発明の要旨を逸脱しない範囲における変更や追加があっても本発明に含まれる。
【００４７】
例えば、把手の形状は、飲食客が回動をスムースに行える形状を成していれば良く、又、飲食客が湯呑みに所望する量を給湯した後、自動的に元の位置に戻る機能を備えているものも可能である。
【００４８】
【発明の効果】
本発明は以下の効果を奏する。
【００４９】
（ａ）請求項１項の発明によれば、一つの飲食台用給湯装置で、ほぼ正面からの給湯操作はもちろんのこと、左右に握り手がそれぞれ張出しているため、隣接する左右の飲食客からも給湯操作が可能となり、２人以上の飲食客が座ったままで給湯できるので給湯装置の数を大幅に削減でき、コストダウンが期待できる。
【００５０】
（ｂ）請求項２項の発明によれば、たとえ、左右の把手を同時に作動しても所定以上のお湯が同時に給湯口から被給湯容器に注がれる恐れはない。
【００５１】
（ｃ）請求項３項の発明によれば、リフト弁の最小限の進退ストロークで両弁頭の最先端部同士が当接するので、小さな把手の操作でストロークを規制できる。
【００５２】
（ｄ）請求項４項の発明によれば、把手の操作のみではお湯の供給がなされず、誤ってお湯が供給されて火傷等をすることを防止できる。
【００５３】
（ｅ）請求項５項の発明によれば、給湯したい飲食客の方向に蛇口管を近づけることができるため、他の客に邪魔にならずに給湯が可能になる。
【００５４】
（ｆ）請求項６項の発明によれば、飲食客が火傷することなく蛇口管の方向を変更できる。
【００５５】
（ｇ）請求項７項の発明によれば、蛇口管を回動しても給湯口から落下する余剰な滴が飲食台に落下する恐れがない。
【図面の簡単な説明】
【図１】本発明の適用された実施例１の飲食台用給湯装置を示す外観斜視図である。
【図２】図１のＡ−Ａ線の断面模式図である。
【図３】図１のＢ−Ｂ線の断面模式図である。
【図４】図２の一部を拡大した弁頭の作動状態を示す断面図である。
【図５】本実施例２の飲食台用給湯装置を示す外観斜視図である。
【図６】図５のＣ−Ｃ線の断面模式図である。
【図７】本実施例２の飲食台用給湯装置の機器構成を示すブロック図である。
【図８】従来の飲食台用給湯装置の断面図である。
【符号の説明】
１    グラスフィラー
２    循環搬送路
３    飲食台
４    水栓用支柱
５    把手
６    ケーシング体
７    リフト弁
８    リフト弁カバー体
９    弁頭
１０  パッキン
１１  保護カバー
１２  蛇口管
１３  ボールカム
１４  断熱材
１５  湯飲み
１６  滴受け部材
１８  給湯口
２０  ボール体
２１  合成樹脂製ドレンパイプ
２２  赤外線センサー
２３  供給弁
２４  スプリング
２５  電磁ソレノイド
２６  制御基板
２７  矢印
２８  トランジスタ
２９  制御回路
３０  把手軸
３１  タイマ回路
３２  矢印
３３  隙間
４０  グラスフィラー
【図１】
2004270342.tif 000003
【図２】
2004270342.tif 000004
【図３】
2004270342.tif 000005
【図４】
2004270342.tif 000006
【図５】
2004270342.tif 000007
【図６】
2004270342.tif 000008
【図７】
2004270342.tif 000009
【図８】
2004270342.tif 000010